(57)【要約】      （修正有）【課題】操作が簡単でありながら布状物の全体から水分を絞り出すことが可能となる絞り器を提供する。【解決手段】設置面に置かれるベース部材１と、このベース部材１の一方側に設けられ布状物の一部を支持する第一支持部１１と、前記ベース部材１の他方側に設けられ当該他方側から前記一方側へ向かう仮想線Ｌ回りに回転する回転部材７と、布状物の他部を支持すると共に回転部材７と一体回転する第二支持部１２とを備えている。回転部材７は、仮想線Ｌ回りに回転自在である中央部材１５と、この中央部材１５から放射状に延びている複数の羽部材１６，１７，１８，１９とを有している。【選択図】図１
0003159094.tif 000002
【実用新案登録請求の範囲】
【請求項１】
設置面に置かれるベース部材と、
前記ベース部材の一方側に設けられ布状物の一部を支持する第一支持部と、
前記ベース部材の他方側に設けられ当該他方側から前記一方側へ向かう仮想線回りに回転する回転部材と、
前記布状物の他部を支持すると共に前記回転部材と一体回転する第二支持部と、を備え、
前記回転部材は、前記仮想線回りに回転自在である中央部材と、前記中央部材から放射状に延びている複数の羽部材と、を有していることを特徴とする絞り器。
【請求項２】
前記羽部材は、四枚が周方向で等間隔に並んで前記中央部材に取り付けられている請求項１に記載の絞り器。
【請求項３】
前記第一支持部と前記第二支持部との内の一方は、Ｕターン状に折り返した布状物の折り返し部を掛ける第一爪部からなり、
前記第一支持部と前記第二支持部との内の他方は、前記布状物の両端部それぞれを巻き付ける第二爪部からなる請求項１又は２に記載の絞り器。
【考案の詳細な説明】
【技術分野】
【０００１】
本考案は、布巾やおしぼり等の布状物を絞る絞り器に関する。
【背景技術】
【０００２】
例えば、手が不自由であったり握力が弱い使用者が、台所作業を行う場合に、水分を含んだ布巾やおしぼり等を絞る作業は非常に困難である。そこで、このような使用者が使用できる装置として、例えば特許文献１に記載のものがある。
特許文献１に記載の装置は、布状物を載せる受圧板と、その上方に設置されたシリンダと、このシリンダのロッド下端に取り付けられた加圧板とを備えており、シリンダによって加圧板を下げることにより、当該加圧板と受圧板との間で水分を含んだ布状物を圧搾することができる。
【先行技術文献】
【特許文献】
【０００３】
【特許文献１】特開２０００−７９０７３号公報（図１参照）
【考案の概要】
【考案が解決しようとする課題】
【０００４】
しかし、特許文献１に記載されている装置では、受圧板に載せた布状物には、厚い部分と薄い部分とが生じている。このような布状物に対して加圧板を下げると、厚い部分に対しては強い圧力が働き脱水できるが、薄い部分は強く加圧されず、当該部分の脱水が不十分になるおそれがある。
【０００５】
そこで、本考案は、操作が簡単でありながら布状物の全体から水分を絞り出すことが可能となる絞り器を提供することを目的とする。
【課題を解決するための手段】
【０００６】
本考案の絞り器は、設置面に置かれるベース部材と、前記ベース部材の一方側に設けられ布状物の一部を支持する第一支持部と、前記ベース部材の他方側に設けられ当該他方側から前記一方側へ向かう仮想線回りに回転する回転部材と、前記布状物の他部を支持すると共に前記回転部材と一体回転する第二支持部とを備え、前記回転部材は、前記仮想線回りに回転自在である中央部材と、前記中央部材から放射状に延びている複数の羽部材とを有していることを特徴とする。
【０００７】
本考案によれば、ベース部材の一方側に布状物の一部を支持する第一支持部が設けられており、ベース部材の他方側に設けられた回転部材を回転させると、布状物の他部を支持する第二支持部が当該回転部材と一体回転する。回転部材を回転させることで、第一支持部と第二支持部との間に支持された布状物は、前記仮想線回りに回転して捩られた状態となり、布状物の全体から水分を絞り出すことができる。
しかも、回転部材は、中央部材から放射状に延びている複数の羽部材を有しているので、これら羽部材を次々と押し下げる操作を行うことで、回転部材を回転させることができ、布状物を絞る操作が簡単である。
仮に、指でつまんだり手で握ったりして回すハンドルによって回転部材が回転する構造である場合は、手先が自由に使えないと回転部材を回転させるのが困難である。しかし、本考案によれば、手先が自由に使えなくても、例えば手のひら、こぶし、腕又は肘で羽部材を押し下げて回転部材を回すことができ、簡単に操作することができる。
【０００８】
また、前記羽部材は、四枚が周方向で等間隔に並んで前記中央部材に取り付けられているのが好ましい。この場合、１枚の羽部材を押し下げて回転部材を回転させると、その回転方向で反対側の隣りにある羽部材が上位置に到来する。このため、次に、この上位置に到来した羽部材を押し下げればよく、布状物を絞る操作が簡単である。
【０００９】
また、前記第一支持部と前記第二支持部との内の一方は、Ｕターン状に折り返した布状物の折り返し部を掛ける第一爪部からなり、前記第一支持部と前記第二支持部との内の他方は、前記布状物の両端部それぞれを巻き付ける第二爪部からなるのが好ましい。
この場合、布状物を第一支持部と第二支持部との間に取り付ける作業が簡単となる。
【考案の効果】
【００１０】
本考案によれば、回転部材を回転させることで布状物は捩られた状態となり、全体から水分を絞り出すことができる。そして、羽部材を次々と押し下げる操作を行うことで布状物を捩ることができ、操作が簡単である。この結果、例えば、手が不自由であったり握力が弱い使用者であっても、布状物の全体から水分を簡単に絞り出すことが可能となる。
【図面の簡単な説明】
【００１１】
【図１】本考案の絞り器の実施の一形態を示す斜視図である。
【図２】布状物を取り付けた状態の絞り器の斜視図である。
【図３】回転部材の斜視図である。
【考案を実施するための形態】
【００１２】
以下、本考案の実施の形態を図面に基づいて説明する。
図１は本考案の絞り器の実施の一形態を示す斜視図である。本考案の絞り器（考案者はこれを絞っ太郎と呼んでいる）は、布巾やおしぼり等の布状物から水分を絞り出す装置である。図２は、布状物８が取り付けられた状態（絞り操作の途中）の絞り器の斜視図である。
【００１３】
この絞り器は、設置面に置かれるベース部材１を備えている。例えば、この絞り器が台所で使用される場合、前記設置面はシンクの床面である。ベース部材１は、このような床面に置かれる矩形板状の底板部２と、この底板部２の長手方向一方側から立設されている第一側壁部３と、長手方向他方側から立設されている第二側壁部４とを有している。また、絞り器が、前記長手方向に直交する方向にも安定するように、補助板部（図示せず）が、底板部２から前記直交する方向に延びていてもよい。
【００１４】
第一側壁部３には、布状物８の一部を支持する第一支持部１１が設けられている。第一支持部１１は、第一側壁部３の上端から上方へ延びるようにして設けられている。本実施形態では、第一支持部１１は、Ｕターン状に折り返した布状物８の折り返し部８ｂを支持するために、当該折り返し部８ｂを掛ける第一爪部２１からなる。この爪部２１は、第一側壁部３の上端から延長されて形成された板片部からなる（図１参照）。布状物８の折り返し部８ｂが第一爪部２１から簡単に外れないように、第一爪部２１の先端部は、前記長手方向の外側に向かって湾曲した形状である。
【００１５】
第二側壁部４には、対向している第一側壁部３側へ延びるようにして軸部材２５が取り付けられている。軸部材２５は六角ボルトからなり、この六角ボルトは、第二側壁部４に固定したナット２６に螺合して固定されている。軸部材２５は、第二側壁部４から第一側壁部３へと向かう仮想線Ｌが軸中心線となるようにして設けられている。本実施形態では、仮想線Ｌはほぼ水平である。そして、この軸部材２５に筒状の中央部材１５が回転自在として取り付けられている。つまり、中央部材１５に軸部材２５が隙間を有して挿通した状態にある。これにより、第二側壁部４に、回転部材７が取り付けられた構成となる。
【００１６】
図３は回転部材７の斜視図である。中央部材１５には、その外周から四枚の羽部材１６，１７，１８，１９が、放射状に延びて取り付けられている。中央部材１５及び羽部材１６，１７，１８，１９からなる回転部材７は、第二側壁部４から第一側壁部３へと向かう前記仮想線Ｌ回りに自由に回転することができる。
【００１７】
図２において、中央部材１５には、前記布状物８の端部８ａ，８ｃを支持する第二支持部１２が設けられている。本実施形態では、第二支持部材１２は、布状物８の両端部８ａ，８ｃそれぞれを巻き付ける第二爪部２２からなる。この第二爪部２２は、棒状の部材を塑性変形させて構成したものである（図３参照）。爪部２２の一端部２２ａは中央部材１５に固定されているため、当該爪部２２（第二支持部１２）は、回転部材７と一体回転することができる。
以上より、回転部材７は、仮想線Ｌ回りに回転自在である中央部材１５と、この中央部材１５から放射状に延びている四枚の羽部材１６，１７，１８，１９とを有した構成となる。
【００１８】
なお、第二爪部２２は、周方向で隣り合う羽部材１６，１７の間において、その一端部２２ａから径方向外方へ延びた後に前記仮想線Ｌに平行となる方向に曲げられており、その径方向外側の曲がり部２２ｃは円弧形状である。これにより、後にも説明するが、羽部材１６，１７を使用者が操作すると、使用者の身体の一部（手）が、第二爪部２２の径方向外側部に接触することがあるが、曲がり部２２ｃは円弧形状に曲げられていることから安全である。
また、第二爪部２２は、前記長手方向の外側に向かって傾斜して曲げられている。これにより、布状物８を絞ると中央部材１５側へと自動的に寄せることができる。
【００１９】
羽部材についてさらに説明する。羽部材１６，１７，１８，１９それぞれは同じ構造であり、代表として羽部材１６について説明する。羽部材１６は、平板部材からなり、前記長手方向を幅方向とし、回転部材７の回転方向が厚さ方向となるようにして中央部材１５に固定されている。羽部材１６の長さ寸法Ａ（半径方向の寸法）は、幅方向の寸法Ｂよりも大きく設定されている。そして、羽部材１６，１７，１８，１９は、四枚が周方向で等間隔に並んで中央部材１５に取り付けられている。
【００２０】
図１において、筒形状である中央部材１５の軸方向の長さＥは、軸部材２５の直線部２５ａの軸方向の長さＦよりも短く設定されている。なお、直線部２５ａとは、中央部材１５が軸方向に自由に移動できるように、直径が、筒形状である中央部材１５の内径よりも小さくなっている部分である。この構成によれば、第一爪部２１と第二爪部２２との距離が変更自在となり、布状物８の長さが様々であっても、その長さに応じて前記距離を調整することができる。つまり、この絞り器は、様々な長さの布状物８に適用することが可能である。
【００２１】
以上のように構成された絞り器を用いた布状物の絞り方法について説明する。
水分を含んだ布状物８をＵターン状に折り返し、その折り返し部８ｂを、第一爪部２１（第一支持部１１）に対して外側から掛ける。第一側壁部３は第一爪部２１よりも拡大した形状であるため、折り返し部８ｂは、第一側壁部３に載った状態で爪状部２１に掛けられる（図２参照）。
この布状物８の一方側の端部８ａを、第二爪部２２（第二支持部１２）に巻き付けるようにして掛ける。布状物８は水分を含んでいるため、端部８ａは自身の摩擦力によって第二爪部２２に簡単に巻き付けられることが可能である。同様に、布状物８の他方側の端部８ｃを、第二爪部２２（第二支持部１２）に巻き付けるようにして掛ける。
【００２２】
ベース部材１の一方側に設けられている第一爪部２１に、布状物８の折り返し部８ｂが支持された状態にあり、ベース部材１の他方側に設けられている回転部材７を回転させると、布状物８の端部８ａ，８ｂを支持している第二爪部２２は、回転部材７と一体回転する。
このため、回転部材７を回転させることで、第一爪部２１と第二爪部２２との間に支持された布状物８は、仮想線Ｌ回りに回転して捩られた状態となり、布状物８の全体から水分が絞り出される。また、第二爪部２２は回転部材７に取り付けられているので、布状物８の端部８ａ，８ｂを第二爪部２２に巻き付けたその手で、すぐに回転部材７を回転させる操作を行うことができ、布状物の取り付けから絞る操作までを、片手によって行うことが可能となる。
また、捩られていく布状物８は、第二爪部２２により巻き付いた状態となることから、布状物８を捩る程、端部８ａ，８ｃは第二爪部２２から解けにくくなる。
【００２３】
回転部材７は、前記のとおり、中央部材１５から放射状に延びている四枚の羽部材１６，１７，１８，１９を有しているので、これら羽部材１６，１７，１８，１９を次々と順に押し下げる操作を行うことで、回転部材７を回転させることができる。
図示しないが、仮に、指でつまんだり手で握ったりして回すハンドルによって回転部材が回転する構造である場合は、手先が自由に（器用に）使えないと回転部材を回転させるのが困難である。しかし、本実施形態の絞り器によれば、手先が自由に（器用に）使えなくても、例えば手のひら、こぶし、腕又は肘で羽部材を押し下げることにより回転部材７を回すことができ、簡単に操作することができる。
【００２４】
また、四枚の羽部材１６，１７，１８，１９は、９０°の間隔で設けられていることから、例えば、図２において、１枚の羽部材１８を時計回りの回転方向に押し下げることで、回転部材７を回転させると、その回転方向で反対側の隣りにある羽部材１７が上位置に到来する。このため、次に、この上位置に到来した羽部材１７を押し下げればよく、回転部材７を容易に回転させることが可能であり、布状物８を捩る操作が簡単である。そして、布状物８は当該布状物８の長手方向中心線回りに捩られた状態となり全体から水分を絞り出すことができる。
以上より、例えば、関節リウマチであるため手が不自由であったり握力が弱い使用者であっても、水分を含んだ布状物８を絞り器に容易に設置し、この布状物８の全体から水分を絞り出す作業を片手でも行うことができる。
【００２５】
前記実施形態では、第一爪部２１（第一支持部１１）に、布状物８をＵターン状に折り返した折り返し部８ｂを掛け、第二爪部２１（第二支持部１２）に、布状物８の両端部８ａ，８ｃそれぞれを巻き付ける場合を説明したが、反対であってもよい。すなわち、この絞り器では、第一爪部２１と第二爪部２１との内の一方に、Ｕターン状に折り返した布状物８の折り返し部８ｂを掛け、第一爪部２１と第二爪部２１との内の他方に、当該布状物８の両端部８ａ，８ｃそれぞれを巻き付ければよい。また、図示しないが、別のアタッチメント部材によって両端部８ａ，８ｃを束ね、布状物を環状とし、これを絞り器に取り付けてもよい。
【００２６】
また、本考案の絞り器は、図示した形態に限らず本考案の範囲内において他の形態のものであってもよい。例えば、羽部材の枚数は、四枚に限らず、三枚としてもよく、また、五枚以上としてもよい。また、ベース部材１、第一支持部１１、第二支持部１２、羽部材等の形状は、図示した形態に限らず本考案の範囲内において他の形態のものであってもよい。
【符号の説明】
【００２７】
１：ベース部材、    ７：回転部材、    ８：布状物、    ８ａ：端部、    ８ｂ：折り返し部、    ８ｃ：端部、    １１：第一支持部、    １２：第二支持部、    １５：中央部材、    １６，１７，１８，１９：羽部材、    ２１：第一爪部、    ２２：第二爪部、    Ｌ：仮想線
【図１】
0003159094.tif 000003
【図２】
0003159094.tif 000004
【図３】
0003159094.tif 000005